(57)【要約】  それぞれ内面および外面を有する２枚の基板パネルであって、基板パネルは建築ユニットの床と天井の間に広がるように構成されている、２枚の基板パネルと；２枚の基板パネルの内面を接続する複数の金属スタッドであって、基板パネル間に空間を画定する複数の金属スタッドと；２枚の基板パネル間の消火スプリンクラー配管であって、複数の金属スタッドの少なくともいくつかが、間仕切り壁アセンブリの内部を通して消火スプリンクラー配管を収容する開口を有する、消火スプリンクラー配管と；２枚の基板パネルの外面に動作可能に取り付けられた複数の吊り要素であって、複数の取り外し可能な仕上げパネルに接続するように構成されている複数の吊り要素とを含むプレハブ式間仕切り壁アセンブリ。
2019507835.tif 000002
【特許請求の範囲】
【請求項１】
プレハブ式間仕切り壁アセンブリであって、
それぞれ内面および外面を有する２枚の基板パネルであって、前記基板パネルは建築ユニットの床と天井の間に広がるように構成されている、２枚の基板パネルと、
前記２枚の基板パネルの前記内面を接続する複数の金属スタッドであって、前記基板パネル間に空間を画定する複数の金属スタッドと、
前記２枚の基板パネル間の消火スプリンクラー配管であって、前記複数の金属スタッドの少なくともいくつかが、前記間仕切り壁アセンブリの内部を通して前記消火スプリンクラー配管を収容する開口を有する、消火スプリンクラー配管と、
前記２枚の基板パネルの前記外面に動作可能に取り付けられた複数の吊り要素であって、複数の取り外し可能な仕上げパネルに接続するように構成されている複数の吊り要素と
を含むプレハブ式間仕切り壁アセンブリ。
【請求項２】
前記２枚の基板パネルの外側の導管をさらに含み、前記導管は、前記複数の吊り要素の少なくとも１つの吊り要素の導管係合特徴部に少なくとも部分的に受け入れられる、請求項１に記載の間仕切り壁アセンブリ。
【請求項３】
前記吊り要素が、一定の断面を有しかつ実質的に前記基板パネルの少なくとも１つの全長に沿って水平方向に延在する細長い部材を含む、請求項１に記載の間仕切り壁アセンブリ。
【請求項４】
前記細長い部材が繊維補強プラスチックを含む、請求項３に記載の間仕切り壁アセンブリ。
【請求項５】
前記吊り要素が押出しアルミニウム部材を含む、請求項０に記載の間仕切り壁アセンブリ。
【請求項６】
前記間仕切り壁アセンブリの接続のために前記間仕切り壁アセンブリの頂部に沿って補償トラックをさらに含み、前記補償トラックは前記複数の金属スタッドに移動可能に結合される、請求項１に記載の間仕切り壁アセンブリ。
【請求項７】
前記補償トラックに結合され、前記補償トラックの両側から外方に延在するストラップをさらに含み、前記ストラップの長さは前記吊り要素の最も外側の端部間の距離よりも長い、請求項６に記載の間仕切り壁アセンブリ。
【請求項８】
前記補償トラックが、スロットを有する少なくとも１つの下方に延在するフランジを含み、
前記複数の金属スタッドの少なくとも１つが、前記スロットを介して前記少なくとも１つの下方に延在するフランジに摺動可能に接続される、
請求項６に記載の間仕切り壁アセンブリ。
【請求項９】
底面を有するＡＣＭパネル
をさらに含み、
前記複数の吊り要素の少なくとも１つが、上方に面するチャネルをさらに含み、
前記間仕切り壁アセンブリの設置前、前記ＡＣＭパネルの前記底面は、前記吊り要素の前記少なくとも１つの前記上方に面するチャネル内にあり、
前記間仕切り壁アセンブリの設置後、前記ＡＣＭパネルは前記補償トラックに取り付けられ、前記底面は水平引抜き成形部材の前記少なくとも１つの前記上方に面するチャネル内にもはやない、
請求項８に記載の間仕切り壁アセンブリ。
【請求項１０】
前記導管係合特徴部が、前記少なくとも１つの吊り要素の外面によって画定されるＵ字形チャネルを含む、請求項１に記載の間仕切り壁アセンブリ。
【請求項１１】
前記導管係合特徴部が、前記吊り要素の１つまたは複数の内面によって画定されるキャビティを含む、請求項１に記載の間仕切り壁アセンブリ。
【請求項１２】
前記複数の吊り要素の外面に接続された少なくとも１つの垂直ロッドをさらに含み、前記垂直ロッドは前記複数の取り外し可能な仕上げパネルを垂直に分離するように構成される、請求項１に記載の間仕切り壁アセンブリ。
【請求項１３】
プレハブ式間仕切り壁を建築物内に組み付ける方法であって、
建築物の構造フレームの第１の梁の上に間仕切り壁アセンブリを配置することであって、前記間仕切り壁アセンブリは、２枚の壁基板パネルと、前記壁基板パネルの内面を接続する金属スタッドとを含むこと、
前記間仕切り壁アセンブリの下部を、前記間仕切り壁アセンブリの両側に取り付けられたアングルブラケットを使用して前記構造フレームに取り付けること、および
前記間仕切り壁の上部を、前記金属スタッドに移動可能に接続された補償トラックを使用して、上部床および天井パネルに接続すること
を含む方法。
【請求項１４】
前記第１の梁の上に前記間仕切り壁アセンブリを配置する前に、下部床および天井パネルを設置することをさらに含み、前記下部床および天井パネルを設置することが、山形鋼を使用して前記下部床および天井パネルを前記梁に取り付けることを含み、前記間仕切り壁アセンブリの下部を前記構造フレームに取り付けることが、前記間仕切り壁の前記下部を前記間仕切り壁の前記山形鋼に取り付けることを含む、請求項１３に記載の方法。
【請求項１５】
第２の梁の下に前記間仕切り壁アセンブリを配置する前に、下部床および天井パネルを設置することをさらに含み、前記間仕切り壁の上部を上部床および天井パネルに取り付けることが、金属ストラップを前記上部天井パネルに取り付けることを含む、請求項１３に記載の方法。
【請求項１６】
前記間仕切り壁アセンブリが、
内面および外面を有する複数の吊り要素をさらに含み、前記複数の吊り要素のそれぞれの前記内面が、前記２枚の基板パネルのうちの少なくとも１つの基板パネルの外面に接続される、
請求項１３に記載の方法。
【請求項１７】
壁仕上げパネルと前記２枚の基板パネルのうちの少なくとも１つの基板パネルの前記外面との間にキャビティが画定されるように、前記壁仕上げパネルを前記複数の吊り要素の１つまたは複数に取り付けることをさらに含む、請求項１６に記載の方法。
【請求項１８】
導管係合特徴部が前記複数の吊り要素の少なくとも１つに一体的に形成される、請求項１６に記載の方法。
【請求項１９】
導管を前記導管係合特徴部に設置することをさらに含む、請求項１８に記載の方法。
【請求項２０】
前記間仕切り壁アセンブリを前記梁の上に配置する前に、複数の前記吊り要素の少なくとも１つによって画定されたキャビティを通して前記導管が引き回される、請求項１９に記載の方法。
【請求項２１】
消費者用取付け特徴部を備えた垂直ロッドを前記複数の吊り要素の少なくともに設置することをさらに含む、請求項１６に記載の方法。
【請求項２２】
予め設置された垂直ロッドを取り外すこと、
前記間仕切り壁アセンブリを設置すること、および
前記垂直ロッドを設置し直すこと
をさらに含む、請求項２１に記載の方法。
【請求項２３】
前記複数の金属スタッドのそれぞれが、前記間仕切り壁アセンブリの内部を通して消火用配管を収容する開口を有する、請求項１３に記載の方法。
【請求項２４】
消火用配管を前記開口に設置することをさらに含む、請求項２３に記載の方法。
【請求項２５】
前記設置された消火スプリンクラー配管を前記建築物内の消火システムに接続することをさらに含む、請求項２４に記載の方法。
【請求項２６】
建築現場から離れた場所でプレハブ式間仕切り壁アセンブリを組み立てる方法であって、
間の空間によって分離された間仕切り壁パネルの２枚の壁基板パネルを形成するために、複数の不燃性ボードを、複数の金属スタッドを含むフレームに取り付けることであって、前記２枚の壁基板パネルのそれぞれは内面および外面を有し、前記壁基板パネルは、建築ユニットの床と天井の間に広がるように構成されていること、
複数の吊り要素のそれぞれの内面を、前記２枚の壁基板パネルのうちの少なくとも１つの壁基板パネルの前記外面に取り付けること、
前記複数の吊り要素のうちの少なくとも１つに、またはそれに近接して、電線を引き回すように構成された導管を設置すること、
前記導管に電線を導入すること、および
複数の仕上げパネルを前記複数の吊り要素に取り外し可能に設置すること
を含む方法。
【請求項２７】
前記電線を引き回すように構成された前記導管を前記壁基板パネルと前記仕上げパネルとの間の空間内に設置することをさらに含み、前記複数の吊り要素は、前記導管が設置される開口を有する、請求項２６に記載の方法。
【請求項２８】
前記複数の吊り要素が内部および外部開口を有し、前記導管が前記内部開口内に設置される、請求項２６に記載の方法。
【請求項２９】
前記複数の水平引抜き成形部材が内部開口および外部開口を有し、前記導管が前記外部開口内に設置される、請求項２６に記載の方法。
【請求項３０】
前記複数の水平引抜き成形部材が内部開口、中間開口および外部開口を有し、前記導管が前記中間開口内に設置される、請求項２６に記載の方法。
【請求項３１】
前記導管が一時的に設置される、請求項２６に記載の方法。
【請求項３２】
前記複数の吊り要素のそれぞれが、第１の水平面および第２の水平面をさらに含み、
第１の水平引抜き成形部材の前記第１の水平面と第２の水平引抜き成形部材の前記第２の水平面との間に防音材を一時的に設置することを含む、請求項２６に記載の方法。
【発明の詳細な説明】
【技術分野】
【０００１】
関連出願の相互参照
本出願は、２０１６年３月７日に出願された米国仮特許出願第６２／３０４，８６８号に基づく優先権を主張するものであり、その出願は参照によりその全体があらゆる目的のために組み込まれる。
【背景技術】
【０００２】
背景
建築物の設計および建設は、その成果物（オフィスビル、ショッピングモール、集合住宅等）が人間の手によって構築される、世界最後の大規模産業である。建築物の設計者（建築家および技術者）は通常、責任上の理由から建築物の建設者（建設請負業者）とは異なる。建築家は建築物がどのように構築されるかについて責任を負うことを望まず、逆に建設請負業者は建築物がどのように製図および計画されているかについて責任を負うことを望まない。さらに、建築物は、リニアな順番に配される特定技能を有する人々によって建設され、通常は屋外の厳しい自然条件の中で人間の手によって構築される。従って、従来の建設は成果物よりもむしろプロセスであり、その結果、無駄および非効率性が多い。
【発明の概要】
【０００３】
概要
本開示は、包括的にはモジュール式建築構造構成要素に関し、より詳細には、間仕切り壁（demising wall）アセンブリ用の方法および装置ならびにその設置方法に関する。例において、プレハブ式間仕切り壁アセンブリは、それぞれ内面および外面を有する２枚の基板パネルを含む。基板パネルは、建築ユニットの床と天井の間に広がるように構成されてもよい。壁は、２枚の基板パネルの内面を接続する複数の金属スタッドを含んでもよく、複数の金属スタッドは、基板パネル間に空間を画定する。壁は、２枚の基板パネル間に消火スプリンクラー配管を含んでもよく、複数の金属スタッドの少なくともいくつかは、間仕切り壁アセンブリの内部を通して消火スプリンクラー配管を収容する開口を有する。複数の吊り要素が、２枚の基板パネルの外面に動作可能に取り付けられてもよく、複数の吊り要素は、複数の取り外し可能な仕上げパネルに接続するように構成されてもよい。
【０００４】
いくつかの例示的な実施形態は、建築物内にプレハブ式間仕切り壁を組み付ける方法を含む。いくつかの例では、方法は、建築物の構造フレームの第１の梁の上に間仕切り壁アセンブリを配置することを含んでもよく、間仕切り壁アセンブリは、２枚の壁基板パネルと、壁基板パネルの内面を接続する金属スタッドとを含む。次いで、間仕切り壁アセンブリの下部が、間仕切り壁アセンブリの両側に取り付けられたアングルブラケットを使用して構造フレームに取り付けられてもよい。次いで、間仕切り壁の上部が、金属スタッドに移動可能に接続された補償トラック（compensating track）を使用して、上部床および天井パネルに接続されてもよい。
【０００５】
建築現場から離れた場所でプレハブ式間仕切り壁アセンブリを組み立てる例示的な方法が同じく開示されてよい。方法は、複数の不燃性ボードを、間の空間によって分離された間仕切り壁パネルの２枚の壁基板パネルを形成する複数の金属スタッドを含むフレームに取り付けることを含んでもよい。２枚の壁基板パネルのそれぞれは、内面および外面を有してもよく、壁基板パネルは、建築ユニットの床と天井の間に広がるように構成されてもよい。複数の吊り要素のそれぞれの内面は、２枚の壁基板パネルのうちの少なくとも１つの壁基板パネルの外面に取り付けられてもよい。次いで、複数の吊り要素のうちの少なくとも１つに、またはそれに近接して、電線を引き回すように構成された導管を設置し、次いで、電線を引き回すように構成された導管に電線を導入することができる。次いで、複数の仕上げパネルを複数の吊り要素に取り外し可能に設置することができる。
【０００６】
図面の簡単な説明
本開示の前述のおよび他の特徴は、添付の図面と併せて読まれる以下の記載および付随の特許請求の範囲からより完全に明らかになるであろう。それら図面は本開示によるいくつかの実施形態を単に示すものであり、従ってその範囲を限定するものと解釈すべきではないことを理解しながら、本開示は添付の図面を用いることでさらに具体的かつ詳細に記載される。
【図面の簡単な説明】
【０００７】
【図１】図１は、床と天井の境界面における間仕切り壁アセンブリの実施形態の部分的な概略正面断面図である。
【図２Ａ】図２Ａは、線２−２に沿って取られた図１の間仕切り壁アセンブリの部分的な概略図である。
【図２Ｂ】図２Ｂは、間仕切り壁アセンブリの代替実施形態の部分的な概略正面断面図である。
【図３】図３は、間仕切り壁アセンブリの実施形態の部分的な概略正面断面図である。
【図４】図４は、間仕切り壁アセンブリの実施形態の概略右側面図である。
【図５】図５は、図４の間仕切り壁アセンブリの概略上面図である。
【図６】図６は、線６−６に沿って取られた図４の間仕切り壁アセンブリの概略断面図である。
【図７】図７は、線７−７に沿って取られた図６の間仕切り壁の部分的な概略図である。
【図８】図８は、線８−８に沿って取られた図６の間仕切り壁の部分的な概略図である。
【図９】図９は、線６−６に沿って取られた図４の間仕切り壁アセンブリの概略断面図である。
【発明を実施するための形態】
【０００８】
全ては本開示の少なくともいくつかの実施形態に従って構成されている。
【０００９】
詳細な記載
以下の詳細な記載において、本明細書の一部を成す添付の図面を参照する。図面中、同様の記号は、別段の指示がない限り、通常は同様の構成要素を指す。詳細な記載、図面、および特許請求の範囲に記載する説明に役立つ実施形態は限定を意味するものではない。本明細書に提示する主題の趣旨および範囲から逸脱することなく、他の実施形態を利用することができ、他の変更を行うことができる。本明細書に概略的に記載し図に示すような本開示の態様は、全て本明細書に暗黙的に企図される多種多様な異なる構成において配置、置換、組み合わせ、分離、および設計できることが容易に理解されるであろう。
【００１０】
本開示は、とりわけ、内面および外面をそれぞれ有する２枚の基板パネルを含むプレハブ式間仕切り壁アセンブリに概ね関連付けられる方法、システム、製品、デバイスおよび／または装置に引き付けられている。基板パネルは、建築ユニットの床と天井の間に広がるように構成される。壁は、２枚の基板パネルの内面を接続する複数の金属スタッドを含んでもよく、複数の金属スタッドは基板パネル間の空間を画定する。壁は、２枚の基板パネル間に消火スプリンクラー配管を含んでもよく、複数の金属スタッドの少なくともいくつかは、間仕切り壁アセンブリの内部を通して消火スプリンクラー配管を収容する開口を有する。複数の吊り要素が２枚の基板パネルの外面に動作可能に取り付けられてもよく、複数の吊り要素は、複数の取外し可能な仕上げパネルに接続するように構成されてもよい。
【００１１】
間仕切り壁アセンブリは、中層および高層公営住宅における以下の問題を解決および／または軽減し得るサブアセンブリであり得る：（ａ）ユニット間の間仕切り（または分離）壁の、費用および時間がかかる現場での建設、（ｂ）ユニット間に音響的分離を提供すること、（ｃ）ユニット間の防水性、エネルギーおよび熱の分離、ならびに（ｄ）居住スペースの一部に内装仕上げを提供すること。間仕切り壁アセンブリは、防火および消防規則；周囲騒音伝達に関する音響上の等級、エネルギーの等級；他の壁パネルに接続するための公差；熱および湿気からの保護に適合し得る、および／または適合するべく寄与し得る。全ての実施形態が上記の問題の全てを、またはいずれかでさえ解決および／または軽減し得るわけではなく、それらの問題は本明細書に記載されるいくつかの実施形態の態様の理解を容易にするために提示されていることを理解されたい。
【００１２】
間仕切り壁アセンブリは、金属スタッドによって内側で接続された９フィート×２２フィートの不燃性の基板パネルを含む完全に一体化されたサブアセンブリであり得、基板パネルは水平吊り要素に外側で接続され、吊り要素は仕上げパネルに外側で接続するように構成される。
【００１３】
図１は、本明細書に記載された少なくともいくつかの実施形態による、床と天井の境界面における間仕切り壁アセンブリの実施形態の部分的な概略正面断面図である。図１は、間仕切り壁アセンブリ１００；内面１３５、１５５および外面１４５、１６５を有する２枚の基板パネル１０５、１１０；床１１５；天井１２０；基板パネル１０５、１１０の間の空間１３０；内面２１５を有する複数の吊り要素２００；仕上げパネル保持特徴部２３０；防音材１９０；複数の個々の仕上げパネル１８５；複数のアングルブラケット３０５；補償トラック４１０；および締結具１８３を示す。図１に記載された様々な構成要素は単なる例であり、構成要素の除去、構成要素の組合せ、および構成要素の置換を含む他の変形が全て想定される。
【００１４】
例示的な実施形態は、２枚の基板パネル１０５、１１０を有する間仕切り壁アセンブリ１００を含んでもよく、基板パネル１０５、１１０のそれぞれは、建築ユニットの床１１５と天井１２０との間に広がるように構成される。２枚の基板パネル１０５、１１０は、それらの間に空間１３０を有する。第１の基板パネル１０５は、内面１３５および外面１４５を含む。第１の基板パネル１０５は、酸化マグネシウム（ＭｇＯ）ボードなどの不燃性材料または他の軽量で防水性の不燃性材料であってもよい。第２の基板パネル１１０は、内面１５５および外面１６５を含む。第２の基板パネル１１０は、酸化マグネシウム（ＭｇＯ）ボードなどの不燃性材料または他の軽量で防水性の不燃性材料であってもよい。基板パネル１０５、１１０は、それらの内面が互いに対向する複数のスタッドに取り付けられてもよい。アングルブラケット３０５は、間仕切り壁アセンブリ１００、例えば基板パネル１０５、１１０に取り付けられてもよく（例えば、締結具１８３を使用して機械的に締結されてもよく）、間仕切り壁アセンブリ１００を床１１５に取り付けるために使用されてもよい。補償チャネル４１０は、間仕切り壁アセンブリ１００を天井１２０に接合するときに間仕切り壁アセンブリ１００の上部に設けられてもよい。補償チャネル４１０は、間仕切り壁アセンブリ１００の下部に移動可能に接続されてもよく、これは間仕切り壁アセンブリ１００の上方の構造物から間仕切り壁アセンブリ１００の下部への荷重の移動を低減し得る。
【００１５】
間仕切り壁１００はまた、基板パネルの１つまたは複数に沿ってほぼ水平に配置されてもよい複数の吊り要素２００を含み得る。吊り要素２００は、間仕切り壁アセンブリ１００の長さの大部分または間仕切り壁アセンブリ１００の全長に等しい長さを有し得る。いくつかの例では、吊り要素２００は、間仕切り壁アセンブリ１００の実質的に全長にわたり延在する連続ブラケットの形態で実装されてもよい。いくつかの例では、吊り要素２００は、間仕切り壁アセンブリ１００の長さの一部だけに広がり得る。さらなる例では、吊り要素２００は、間仕切り壁アセンブリの長さに沿って間欠的な位置に配置される複数の別個のより短いブラケットとして実装されてもよい。他の変形または組み合わせが使用されてもよい。
【００１６】
吊り要素２００の内面２１５は、例えば、締結具（図示せず）を使用して、基板パネル（例えば、基板パネル１０５または１１０）の外面（例えば、面１４５または１６５）に取り付けられてもよい。１つまたは複数の仕上げパネル１８５は、吊り要素２００の第１の外面２２０および仕上げパネル保持特徴部２３０の両方に隣接し得る。吊り要素２００は、追加の構成要素（例えば、電線、断熱材）を間に収容するためなど、基板パネル１０５、１１０の外面１４５、１６５に対して離間した関係で仕上げパネルを提供するように構成されてもよい。これに関して、吊り要素２００は、スペーサー要素と代替的に呼ぶことができる。
【００１７】
特定の実施形態では、アングルブラケット３０５は、締結具１８３によって床１１５に取り付けられてもよい。アングルブラケット３０５は、間仕切り壁アセンブリ１００を設置する間、間仕切り壁アセンブリ１００の底縁部の整列を提供するために使用されてもよく、また、次いで、間仕切り壁アセンブリ１００を床１１５または床１１５の構成要素に取り付けるために使用されてもよい。
【００１８】
いくつかの例では、防音材１９０は、仕上げパネル１８５と基板パネル１０５、１１０の外面１４５、１６５との間に画定される空間内に提供されてもよい。いくつかの例では、防音材１９０は、吊り要素２００の上下、および仕上げパネル１８５と第１の基板パネル１０５の外面１５０との間に配置されてもよく、また、吊り要素２００の上下、および仕上げパネル１８５と第２の基板パネル１１０の外面１６５との間に配置されてもよい。いくつかの例では、防音材１９０は、仕上げパネル１８５と基板パネル１０５、１１０の外面１４５、１６５との間の空間の一部のみを占有し得る。いくつかの例では、電気導管および／または空気ダクトなどの追加の構成要素が、仕上げパネル１８５と基板パネル１０５、１１０の外面１４５、１６５との間の空間に提供されてもよい。
【００１９】
図２Ａは、本明細書に記載された少なくともいくつかの実施形態による、線２−２に沿って取られた図１の間仕切り壁アセンブリの部分概略図である。図２Ａは、上部セクション２０５；下部セクション２１０；内面２１５；第１の外面２２０；幅２２６および内面２２７を有するＵ字形チャネル２２５；Ｕ字形チャネル２２８；仕上げパネル保持特徴部２３０；内部開口２４０；外部開口２５０；複数の導管係合特徴部２６０；および少なくとも１つの仕上げパネル１８５を備えた吊り要素２００を示す。図２に記載された様々な構成要素は単なる例であり、構成要素の除去、構成要素の組み合わせ、および構成要素の置換を含む他の変形が全て想定される。
【００２０】
吊り要素２００の実施形態は、上部セクション２０５が下部セクション２１０の鏡像であるように、水平面２Ａに関して対称であり得る。これにより、吊り要素２００を、様々な構成において取り付けることができるように、より高い汎用性で使用することが可能になり得る。例示的な実施形態では、吊り要素２００は、プラスチック、繊維強化プラスチック、または繊維強化樹脂などの他の複合材料から製造されてもよい。吊り要素２００は、引抜成形または押出成形技術、様々な複合製造技術、成形、鋳造、機械加工、または他の技術としての製造であってもよい。いくつかの実施形態では、吊り要素２００は、押し出された金属（例えば、アルミニウム、鋼、鉄、または合金）部材として製造されてもよい。
【００２１】
図２Ａに示すように、吊り要素２００の上部セクション２０５および下部セクション２１０の両方は、内面２１５および第１の外面２２０を有する。吊り要素２００の上部セクション２０５および下部セクション２１０の両方は、幅２２６と内面２２７とを有するＵ字形チャネル２２５をさらに備え得る。各セクション２０５、２１０の第１の外面２２０は、仕上げパネル保持特徴部２３０に隣接し得る。図４を参照して後述するように、仕上げパネル保持特徴部２３０は、吊り要素２００の全長に沿って連続的な長さを有し得る、または代替の実施形態では、垂直ロッド保持特徴部（図示せず）によって間欠的に破断されてもよい。
【００２２】
吊り要素２００は、内部開口２４０および外部開口２５０を有し得る。開口２４０、２５０は、導管２６５（図示せず）を吊り要素２００の水平長さ全体にわたって配置することができるように、導管係合特徴部２６０として作用し得るか、導管係合特徴部２６０をさらに含み得る。（この実施形態は図９を参照して以下に記載される。）さらに、上部セクション２０５または下部セクション２１０のいずれかの水平面２０７は、導管２６５（図示せず）を吊り要素２００の水平長さに隣接して配置できるように、導管係合特徴部２６０として作用し得る。（この実施形態は図９を参照して以下に記載される。）いくつかの実施形態において、導管係合特徴部２６０は、吊り要素２００と一体的に形成されてもよい。いくつかの実施形態では、導管係合特徴部は、吊り要素２００に接続されてもよい。
【００２３】
図２Ｂは、本明細書に記載された少なくともいくつかの実施形態による、別の実施形態の間仕切り壁アセンブリの部分的な概略正面断面図である。図２Ｂは、上部セクション２０５；下部セクション２１０；内面２２７を有するＵ字形チャネル２２５；内面２０７を有するＵ字形チャネル２２８；内部開口２４０；中間開口２４５；外部開口２５０；導管係合特徴部２６０、２６０ａ、２６０ｂ、２６０ｃ、２６０ｄ；２６０ｅ；導管２６５；および少なくとも１つの仕上げパネル１８５を備えた吊り要素２００を示す。図２Ｂに記載された様々な構成要素は単なる例であり、構成要素の除去、構成要素の組み合わせ、および構成要素の置換を含む他の変形が全て想定される。
【００２４】
図２Ｂの吊り要素２００は、図２Ａの吊り要素２００のものと同様であってもよいが、いくつかの構造上の違いがある。例えば、図２Ｂの吊り要素２００は、内部開口２４０および外部開口２５０に加えて中間開口２４５を有してもよい。開口２４０、２４５および２５０は、導管２６５を吊り要素２００の水平長さ全体にわたって配置できるように、導管係合特徴部２６０として機能するか、またはそれをさらに含むことができる。
【００２５】
図２Ｂに示すように、吊り要素２００の上部セクション２０５および下部セクション２１０の両方は、内面２１５および第１の外面２２０を有する。吊り要素２００の上部セクション２０５および下部セクション２１０の両方は、導管２６５を間仕切り壁アセンブリの長さの様々な位置に取り付けることができるように、導管係合特徴部２６０を特徴としてもよい。一実施形態では、導管係合特徴部２６０ｃは、導管をＵ字形チャネル２２５内に位置するように設置できるように、Ｕ字形チャネル２２５の内面２２７上に配置される。追加の実施形態では、導管係合特徴部２６０ｂは、導管２６５を吊り要素２００内で走行するように設置できるように、吊り要素２００と基板パネル１０５の外面１４５とによって形成された内部開口２４０内に配置される。追加の実施形態では、導管係合特徴部２６０ａは、導管２６５をＵ字形チャネル２２８の表面２０７上に位置するように設置できるようにＵ字形チャネル２２８に接続される。追加の実施形態では、導管係合特徴部２６０ｄは、導管２６５を外部開口２５０内に位置するように設置できるように、外部開口２５０に接続されてもよい。追加の実施形態では、導管係合特徴部２６０ｅは、導管２６５を吊り要素２００内に位置するように設置できるように、中間開口２４５内に配置される。
【００２６】
図３は、本明細書に記載する少なくともいくつかの実施形態による間仕切り壁アセンブリの部分的な概略正面断面図である。図３は、間仕切り壁アセンブリ１００；２枚の基板パネル１０５、１１０；内面１３５、１５５；外面１４５、１６５；それぞれ内面２１５および第１の外面２２０を有する複数の吊り要素２００；締結具１８３；内面１８５ａ、第１の垂直縁部１８５ｂ、第２の垂直縁部１８５ｃ、頂部水平縁部１８５ｄ、底部水平縁部１８５ｅおよび外面１８５ｆを有する少なくとも１つの個別仕上げパネル１８５；および仕上げパネル保持特徴部２３０を示す。図３に記載された様々な構成要素は単なる例であり、構成要素の除去、構成要素の組合せ、および構成要素の置換を含む他の変形が全て想定される。
【００２７】
吊り要素２００の内面２１５は、締結具１８３を使用して基板パネル１０５、１１０の外面１４５、１６５に取り付けられてもよい。仕上げパネル１８５は、吊り要素２００の第１の外面２２０および仕上げパネル保持特徴部２３０の両方に隣接していてもよい。個別の仕上げパネル１８５は、内面１８５ａ、第１の垂直縁部１８５ｂ、第２の垂直縁部１８５ｃ、頂部水平縁部１８５ｄ、底部水平縁部１８５ｅ、および外面１８５ｆを有する。仕上げパネル１８５の内面１８５ａは、第１の外面２２０に隣接していてもよく、底部水平縁部１８５ｅは仕上げパネル保持特徴部２３０に隣接していてもよい。代替実施形態では、仕上げパネルの内面１８５ａは、第１の外面２２０に隣接していてもよく、頂部水平縁部１８５ｄは、仕上げパネル保持特徴部２３０に隣接していてもよい。個別の仕上げパネル１８５は、締結具１８３（図示せず）を使用して吊り要素２００の第１の外面２２０に取り付けられてもよい。吊り要素２００の所望の内部レイアウトおよびまたは特定の配置に依存し得るように、１つまたは複数の個別の仕上げパネル１８５を間仕切り壁アセンブリの吊り要素２００に取り付けることができることは理解されよう。
【００２８】
図４は、本明細書に記載された少なくともいくつかの実施形態による間仕切り壁アセンブリの実施形態の右側面の概略図である。図４は、間仕切り壁アセンブリ１００；外面１４５を有する第１の基板パネル１０５；複数の吊り要素２００；および複数のアングルブラケット３０５を示す。図４に記載された様々な構成要素は単なる例であり、構成要素の除去、構成要素の組合せ、および構成要素の置換を含む他の変形が全て想定される。
【００２９】
実施形態において、間仕切り壁アセンブリ１００は、複数の吊り要素２００に接続された複数の基板パネルパネル１０５および１１０（図１に示す）を含んでもよい。図４に示されるような間仕切り壁アセンブリ１００の実施形態は、間仕切り壁アセンブリ１００の大部分の長さを取り囲む複数の第１の基板パネル１０５を有する。複数の吊り要素２００は、第１の基板パネル１０５の外面１４５に設置される。複数のアングルブラケット３０５が、第１の基板パネル１０５の外面１４５の下部に接続される。吊り要素２００は、規則的または不規則的に離間されてもよい。いくつかの例では、隣接する吊り要素２００間の垂直方向の間隔は、最大約６インチであり得る。いくつかの例では、隣接する吊り要素２００間の垂直方向の間隔は、６インチ超、例えば約１０インチ、約１２インチまたはそれ以上であり得る。前述したように、いくつかの例では、吊り要素２００は、吊り要素２００が仕上げパネルの少なくとも隅部に取付用として設けられるように、仕上げパネルの形状およびサイズによって決定されるパターンで例えば配置された、不連続の別個のブラケットとして実施されてもよい。
【００３０】
図５は、本明細書に記載の少なくともいくつかの実施形態による図４の間仕切り壁アセンブリの概略上面図である。図５は、間仕切り壁アセンブリ１００、内面１３５、１５５および外面１４５、１６５を有する２枚の基板パネル１０５、１１０；基板パネル１０５、１１０の間の空間１３０；複数の金属スタッド１７５；複数の吊り要素２００；および複数のアングルブラケット３０５を示す。図５に記載された様々な構成要素は単なる例であり、構成要素の除去、構成要素の組合せ、および構成要素の置換を含む他の変形が全て想定される。
【００３１】
間仕切り壁アセンブリ１００の垂直高さまたは垂直高さの大部分に等しい長さを有する複数の金属スタッド１７５は垂直に整列され、第１の基板パネル１０５の内面１３５を第２の基板パネル１１０の内面１５５に接続することができる。複数の金属スタッド１７５は、内面１３５、１５５に沿って空間的に分離されている。実施形態において、金属スタッド１７５は、内部スタッドの開口が同じ方向を向いているＣチャネルと同様の形状であってもよい。異なる実施形態では、垂直金属スタッド１７５は、互いに異なる形状であってもよい。吊り要素２００は、間仕切り壁アセンブリ１００全体と実質的に同じ長さの長さを有してもよい。複数のアングルブラケット３０５は、外面１４５、１６５に沿って空間的に分離されてもよい。
【００３２】
図６は、本明細書に記載の少なくともいくつかの実施形態による線６−６に沿って取られた図４の間仕切り壁アセンブリの断面概略図である。図６は、間仕切り壁アセンブリ１００；内面１３５、１５５および外面１４５、１６５を備えた２枚の基板パネル１０５、１１０；空間１３０；複数の吊り要素２００；複数のアングルブラケット３０５；補償トラック４１０；および金属ストラップ４２０を示す。図６に記載された様々な構成要素は単なる例であり、構成要素の除去、構成要素の組合せ、および構成要素の置換を含む他の変形が全て想定される。
【００３３】
図６に示す実施形態では、間仕切り壁アセンブリ１００は、金属ストラップ４２０に取り付けられた補償チャネル４１０によって天井１２０（例えば図１参照）に、およびアングルブラケット３０５によって床１１５（図示せず）に接続されてもよい。複数の吊り要素２００は、２つの基板パネル１０５、１１０の外面１４５、１６５に接続されてもよい。天井への取り付けに関する詳細は、図７を参照して以下でより詳細に論じられる。床への取り付けに関する詳細は、図８を参照して以下でより詳細に論じられる。
【００３４】
図７は、本明細書に記載の少なくともいくつかの実施形態による線７−７に沿って取られた図６の間仕切り壁の部分概略図である。図７は、間仕切り壁アセンブリ１００；内面１３５、１５５および外面１４５、１５５を有する２枚の基板パネル１０５、１１０；空間１３０；金属スタッド１７５；複数の吊り要素２００；補償トラック４１０；金属ストラップ４２０；締結具１８３；および少なくとも１つの下向きに延在するフランジ４１１を示す。図７に記載された様々な構成要素は単なる例であり、構成要素の除去、構成要素の組合せ、および構成要素の置換を含む他の変形が全て想定される。
【００３５】
図７は、間仕切り壁アセンブリ１００の頂部セクションを示す。間仕切り壁アセンブリ１００は、１つまたは複数のスタッド１７５に移動可能に接続された補償トラック４１０を含んでもよい。補償トラック４１０は、対向フランジ４１１を有する概ねＵ字形のチャネル（示される図では反転されたＵ字形）を含んでもよい。１つの実施形態に示されるように、補償トラック４１０は、金属ストラップ４２０に接続されてもよい。建築物中に間仕切り壁を設置する間、金属ストラップは、天井１２０（例えば、図１参照）および／または建築物の構造フレームに接続されてもよい。代替実施形態では、補償トラック４１０は天井１２０または構造フレームに直接接続されてもよい。補償トラック４１０は、補償トラック４１０の下向きのフランジ４１１が基板パネル１０５、１１０と金属スタッド１７５との間に受け入れられ得るように配置されてもよい。いくつかの実施形態では、追加の層（例えば、音減衰層、防火層）が、基板パネル１０５、１１０の内面１３５、１５５と金属スタッド１７５との間に設けられてもよい。追加の層は、補償トラックのフランジ４１１の下で終端してもよく、それによってフランジ４１１が受け入れられ得るキャビティを画定する。
【００３６】
いくつかの実施形態では、補償トラック４１０は、少なくとも１つの下方に延びるフランジ４１１を含んでもよく、フランジ４１１は、当該少なくとも１つの下方に延びるフランジ４１１のスロットを通過する締結具１８３を介して、複数の金属スタッド１７５に取り付けられる。スロットは、複数の金属スタッド１７５に対する当該少なくとも１つの下方に延びるフランジ４１１の垂直方向の十分な移動を可能にする長さを有することができ、これにより、例えば床１１５および天井１２０の撓みに由来する荷重が間仕切り壁アセンブリ１００へ伝わることを低減する。
【００３７】
図８は、本明細書に記載の少なくともいくつかの実施形態による線８−８に沿って取られた図６の間仕切り壁の部分概略図である。図８は、間仕切り壁１００；外面１４５、１６５を有する２枚の基板パネル１０５、１１０；空間１３０；金属スタッド１７５；複数の吊り要素２００；および複数のアングルブラケット３０５を示す。図８に記載された様々な構成要素は単なる例であり、構成要素の除去、構成要素の組み合わせ、および構成要素の置換を含む他の変形が全て想定される。
【００３８】
図８の実施形態では、複数のアングルブラケット３０５は、基板パネル１０５、１１０の外面１４５、１６５と接触する。アングルブラケット３０５は、締結具１８３（図示せず）によって床１１５（図示せず）に締結されてもよい。アングルブラケット３０５は、次いで、締結具１８３（図示せず）を用いて基板パネル１０５、１１０の外面１４５、１６５に締結されてもよい。
【００３９】
図９は、本明細書に記載の少なくともいくつかの実施形態による線６−６に沿って取られた図４の間仕切り壁アセンブリの概略断面図である。図９は、間仕切り壁アセンブリ１００；内面１３５、１５５および外面１４５、１６５を有する２枚の基板パネル１０５、１１０；空間１３０；複数の吊り要素２００；複数のアングルブラケット３０５；内部開口２４０；外部開口２５０；補償トラック４１０；金属スタッド１７５；金属ストラップ４２０；導管係合特徴部２６０、２６０ａ、２６０ｂ、２６０ｃ、２６０ｄ；導管２６５；表面２０７を有するＵ字形チャネル２２８；表面２２７を有するＵ字形チャネル２２５；空気ダクト４５０；消火用配管開口１４０；および消火用配管１４１を示す。図５に記載された様々な構成要素は単なる例であり、構成要素の除去、構成要素の組合せ、および構成要素の置換を含む他の変形が全て想定される。
【００４０】
図９に示す実施形態では、間仕切り壁アセンブリ１００は、それらの内面１３５、１５５が複数の金属スタッド１７５によって取り付けられた２枚の基板パネル１０５、１１０を有する。実施形態において、金属スタッド１７５のそれぞれは、火炎配管抑制開口１４０を有する。消火用配管１４１は、金属スタッド１７５のそれぞれの開口１４０を介して設置されてもよい。また、間仕切り壁アセンブリ１００は、２枚の基板パネル１０５、１１０の外面１４５、１６５に接続された複数の吊り要素２００を有する。吊り要素２００は、導管２６５を間仕切り壁アセンブリの長さの様々な位置に取り付けることができるように、導管係合特徴部２６０を特徴とする。一実施形態において、導管係合特徴部２６０ｃは、導管をＵ字形チャネル２２５内に位置するように設置することができるように、Ｕ字形チャネル２２５の内面２２７上に配置される。追加の実施形態において、導管係合特徴部２６０ｂは、吊り要素２００内を走行するように導管２６５を設置することができるように、吊り要素２００と基板パネル１０５、１１０の外面１４５、１６５とによって形成された内部開口２４０内に配置される。追加の実施形態において、導管係合特徴部２６０ａは、導管２６５をＵ字形チャネル２２８の表面２０７に位置するように設置できるように、Ｕ字形チャネル２２８に接続される。追加の実施形態において、導管係合特徴部２６０ｄは、導管２６５を外部開口２５０内に位置するように設置できるように、外部開口２５０に接続されてもよい。
【００４１】
図１〜９に示されているような間仕切り壁アセンブリ１００の機能および特徴を、以下、さらに詳細に記載する。
【００４２】
間仕切り壁アセンブリは、それが最終的に設置される作業現場から離れた場所で組み立てられてもよい。組立てプロセスは、金属スタッド１７５、基板パネル１０５、１１０、および吊り要素２００を接続することから始めることができる。図５に示すように、複数の金属スタッド１７５は、間仕切り壁アセンブリ１００の長さに沿って様々な間隔で離間されてもよく、間仕切り壁アセンブリ１００の端部１０２に配置される。
【００４３】
種々の追加の構成要素が一時的に設置されてもよい。この一時的な設置は、設置プロセスの全体的な効率を向上させる。これは、構成要素が現在の間仕切り壁アセンブリ１００に適合するように適切にサイズ決めされることを確実にし、いったん作業現場でアイテムを測定してある長さに切断する必要がないので設置者は時間を節約できる。また、これは、必要な構成要素が作業現場に輸送されることも確実にし、設置者はアセンブリに属する正しい部品を探すのにかかる時間を節約できる。また、これは、誤った構成要素がアセンブリのために切断または作製されるような材料の潜在的な混入を防ぎ、また、正しい部品が誤った位置に置かれたり、いったん作業現場で異なる誤ったアセンブリで使用するために潜在的にあさられたりする可能性を排除し、これにより設置者はこれらの問題を修正するのにかかる時間を節約できる。
【００４４】
いくつかの実施形態では、金属スタッド１７５は消火用配管開口１４０を有し、消火用配管１４１を消火用配管開口１４０内に設置することができる。いくつかの実施形態では、導管２６５を、少なくとも１つの吊り要素２００の導管係合特徴部２６０に一時的に設置することができる。いくつかの実施形態では、防音材１９０を、少なくとも１つの吊り要素２００の上下に一時的に設置することができる。いくつかの実施形態では、空気ダクト４５０を、少なくとも１つの吊り要素２００の上または下に一時的に設置することができる。いくつかの実施形態では、仕上げパネル１８５を一時的に設置することができ、ここで各仕上げパネルは、吊り要素２００の第１の外面２２０と、仕上げパネル保持特徴部２３０とに接触する。いくつかの実施形態では、補償トラック４１０を、間仕切り壁アセンブリの頂部に一時的に設置することができる。
【００４５】
次に、事前組立式間仕切り壁アセンブリ１００を、それが設置される作業現場に搬送することができる。間仕切り壁アセンブリ１００を永久的に設置する前に、仕上げパネル１８５、導管２６５、防音材１９０、空気ダクト４５０、および補償トラック４１０を取り除くことができる。これらの構成要素を取り除くことにより、間仕切り壁アセンブリ１００の設置が容易になる。それというのも、それら要素は、間仕切り壁アセンブリ１００に永久的に取り付けられていない可能性があり、間仕切り壁アセンブリ１００を取り出して設置する間に移動して傷が付く、または他のアイテムを傷付ける可能性があるからである。
【００４６】
間仕切り壁アセンブリ１００の設置前に、アングルブラケット３０５を床１１５に永久的に取り付けることができる。加えて、補償トラック４１０を天井１２０に取り付けることができる、または、補償トラック４１０を、その後天井１２０に永久的に取り付けられる金属ストラップ４２０に取り付けることができる。アングルブラケットおよび補償トラックの設置は、間仕切り壁アセンブリ１００をその間に滑り入れることができるフットプリントが作り出されることを可能にする。これにより、壁の設置前に壁のフットプリントが正しく確立されているため、設置中の間違いが排除される。代替的な実施形態では、アングルブラケット３０５は、壁が建築物内に設置される前に、間仕切り壁に接続されてもよい。
【００４７】
吊り要素２００が取り付けられかつ複数の金属スタッド１７５によって接続された２枚の基板パネル１０５、１１０からなる間仕切り壁アセンブリ１００を次に所定位置に摺動させることができ、この際、間仕切り壁アセンブリ１００の底縁部は、床１１５に対して摺動する。設置されると、間仕切り壁アセンブリ１００の実施形態の適切な整列および位置は、予め設置されたアングルブラケット３０５および補償トラック４１０によって決定される。外面１４５、１６５は、アングルブラケット３０５の内面に接触し得る。次いで、締結具１８３を使用して、間仕切り壁アセンブリ１００をアングルブラケット３０５に永久的に取り付けることができる。間仕切り壁アセンブリ１００が適所に摺動される前にアングルブラケット３０５が設置される代替実施形態では、補償トラック４１０が設置中の間仕切り壁アセンブリ１００の整列を提供する。
【００４８】
間仕切り壁アセンブリ１００の上部で、内面１３５、１５５は少なくとも１つの下向きに延びるフランジ４１１と接触してもよい。間仕切り壁アセンブリ１００は天井１２０に永久的に接続されない。それというのも、永久的な接続は、床または天井が垂直に移動するときに間仕切り壁アセンブリが潜在的に傷付くことを許容し得るからである。間仕切り壁アセンブリ１００の実施形態は、間仕切り壁アセンブリ１００の上縁部が決して天井１２０と接触しないように、間仕切り壁が、床１１５および天井１２０の膨張および収縮とともに移動することを可能にする。
【００４９】
間仕切り壁アセンブリ１００をいったん設置すると、消火用配管１４１を建築物の消火システムに接続することができる。次に、適切な電線を導管２６５に追加することができ、次に導管２６５を導管係合特徴部２６０に接続することができる。代替実施形態では、間仕切り壁を作業現場に搬送する前に適切な電線を導管に追加することができる。いずれの実施形態においても、その後、電線を建築物の電気システムに接続することができる。空気ダクト４５０を間仕切り壁アセンブリに接続し、次に建築物の換気システムに接続することができる。次に、防音材１９０を外面１４５、１６５に当接するように設置することができる。いったん内部間仕切り壁構成要素を間仕切り壁アセンブリ１００に接続すると、仕上げパネル１８５を吊り要素２００に接続することができる。
【００５０】
現場から離れたところで構成要素を事前に組み立てることによって効率が得られることに加えて、基板パネル１０５、１１０の外側に導管２６５を設置する現在の実施形態の特徴は、現在の技術を超える改良を含む。当該技術分野ですでに知られているように、導管が基板パネルの間に設置されるとき、導管および関連機器を設置する人は、作業するための非常に小さいフットプリントを有し、時に機器の設置は基板パネルを傷付ける可能性があり、その結果、基板パネルの間に形成された音響的囲いが破損され、継ぎ当てされることができない。本明細書の実施形態に開示されているように、導管２６５が仕上げパネル１８５の後ろだけに配置される場合、導管またはその内容物を含むいかなる種類のメンテナンスもより短時間で行うことができ、より簡単に達成することができる。メンテナンスを完了するために基板パネル１０５、１１０間の隙間の空間１３０を破る必要がないからである。
【００５１】
代替実施形態では、間仕切り壁アセンブリ１００は、複数の垂直ロッドを有してもよく、複数の垂直ロッドは、複数の吊り要素２００の垂直ロッド保持特徴部に結合されてもよい。複数の垂直ロッドは、ロッドの外側垂直面が仕上げパネル１８５の垂直縁部１８５ｂおよび１８５ｃに接触するように配置されてもよい。複数の垂直ロッドは、消費者が間仕切り壁アセンブリ全体を損傷することなくアイテム（例えば、本棚、写真等）を垂直ロッドに取り外し可能に取り付けることを可能にする消費者用取付け特徴部を有してもよい。これにより、ユーザ（例えば、入居者またはユニットの占有者）は、壁の仕上げまたは構造を永久的に改造および／または損傷することなく、自分のユニットをカスタマイズすることが可能になり得る。この特徴部により、入居者は、必要に応じて位置を変えながら一時的にアイテムを吊ることが可能になり得る。
【００５２】
代替実施形態では、間仕切り壁アセンブリ１００はまた、基板パネル１０５、１１０の外面１４５、１６５の間に設置されたアルミニウム複合材料（ＡＣＭ）パネルを特徴としてもよい。例示的な実施形態では、ＡＣＭパネルを備えた実施形態の間仕切り壁アセンブリ１００は、より低い位置に配置することができる。ＡＣＭパネルは、内面、頂部水平縁部、底部水平縁部、および外面を有する。より低い位置において、ＡＣＭパネルの底部水平縁部は、最も上に位置する複数の吊り要素２００のＵ字形チャネル２２５内にある。ＡＣＭパネルの外面はまた、Ｕ字形チャネル２２５の内面２２７に接触してもよい。あるいは、ＡＣＭパネルの内面はまた、Ｕ字形チャネル２２５の内面２２７に接触してもよい。Ｕ字形チャネル２２５の内幅２２６は、ＡＣＭパネルの幅より少なくともわずかに大きい。ＡＣＭパネルの頂部水平縁部と天井１２０との間には隙間が存在する。より低い位置において、ＡＣＭパネルの頂部水平縁部は、間仕切り壁アセンブリ１００の頂縁部よりも垂直方向に低い。間仕切り壁アセンブリ１００を永久的に設置する前、ＡＣＭパネルは、この第１の位置にあってもよい。
【００５３】
間仕切り壁アセンブリ１００が床１１５に永久的に接続された後、ＡＣＭパネルをより高い位置に移動させることができる。このより高い位置において、ＡＣＭパネルの頂部水平縁部は天井１２０と同一平面上にあるかほぼ同一平面上にあり、その結果、ＡＣＭパネルの底部水平縁部は、最も上に位置する複数の吊り要素２００のＵ字形チャネル２２５にもはや載らない。ＡＣＭパネルはこのより高い位置において、締結具１８３を介して補償トラック４１０に取り付けられてもよい。このより高い位置において、ＡＣＭパネルの外面が依然としてＵ字形チャネル２２５の内面２２７に接触し得る、またはＡＣＭパネルの内面がＵ字形チャネル２２５の内面２２７に接触し得ることが実現可能である。ＡＣＭパネルは天井と一緒に移動し、また、ＡＣＭパネルの底縁部とＵ字形チャネル２２５との間に十分な隙間があるはずなので、床または天井のいかなる垂直方向の移動もＡＣＭパネルを損傷しないだろう。
【００５４】
提供された例は単に説明を目的とし、本開示の範囲を限定するものと見なすべきではない。各例示的な実施形態は、都市型複合用途開発、低層居住ユニット、および／または遠隔地域などの特定の環境に対して実用的であり得る。個々の要素の材料および寸法は、本開示の原理の範囲から逸脱することなく、以下の建築条例：火災、エネルギー、ハンディキャップ、人命安全性、および音響（衝撃および周囲騒音伝達）のうちの１つまたは複数を遵守するように構成されてもよい。同じく要素および／またはシステムは、必要に応じて社会的および／または宗教的な条例を遵守するように構成されてもよい。例えば、材料、システム、方法および／または装置は、管轄区域で採用された国際建築基準法を遵守するように構成されてもよい。
【００５５】
本開示は本出願に記載の特定の実施形態に限定されるべきでなく、それら特定の実施形態は様々な態様の例示として意図されている。当業者には明らかであろうように、その趣旨および範囲から逸脱することなく、多くの修正形態および実施形態を実施することができる。本開示の範囲内の機能的に等価な方法および装置が、本明細書に列挙したものに加えて、前述の記載から当業者に明らかであろう。こうした修正形態および実施形態は、付随する特許請求の範囲内にあることが意図される。本開示は、付随する特許請求の範囲が権利を与えられる等価物の完全な範囲とともに、付随する特許請求の範囲の条件を含む。本開示は特定の方法、試薬、化合物、組成物および生物系に限定されず、それらは当然のことながら変化し得るものであることを理解されたい。本明細書で用いた用語は単に特定の実施形態を記載するためのものであり、限定するつもりはないことも理解されたい。
【００５６】
本明細書における実質的に全ての複数形および／または単数形の用語の使用に関して、当業者は、状況および／または用途に適切なように、複数形から単数形に、および／または単数形から複数形に変換することができる。様々な単数形／複数形の置き換えは、理解しやすいように、本明細書で明確に記載され得る。
【００５７】
全体的に、本明細書において、特に付随する特許請求の範囲（たとえば、付随する特許請求の範囲の本体部）において使用される用語は、「オープンな」用語として概ね意図されていることが、当業者には理解されよう（たとえば、用語「含む（including）」は、「含むがそれに限定されない」と解釈されるべきであり、用語「有する（having）」は、「少なくとも有する」と解釈されるべきであり、用語「含む（includes）」は、「含むがそれに限定されない」と解釈されるべきである等）。
【００５８】
導入される請求項の記載の具体的な数が意図される場合、そのような意図は当該請求項において明示的に記載され、そのような記載がない場合、そのような意図は存在しないことが当業者にさらに理解されよう。例えば、理解の一助として、以下の付随する特許請求の範囲は、請求項の記載を導くために、導入句「少なくとも１つの（at least one）」および「１つまたは複数の（one or more）」の使用を含む場合がある。しかしながら、そのような句の使用は、同一の請求項が、導入句「１つまたは複数の」または「少なくとも１つの」および「a」または「an」などの不定冠詞を含む場合であっても、不定冠詞「a」または「an」による請求項の記載の導入が、そのように導入される請求項の記載を含むいずれかの特定の請求項を、たった１つのそのような記載を含む実施形態に限定する、ということを示唆していると解釈されるべきでない（例えば、「a」および／または「an」は、「少なくとも１つの」または「１つまたは複数の」を意味すると解釈されるべきである）。同じことが、請求項の記載を導入するために使用される定冠詞の使用にも当てはまる。加えて、導入される請求項の記載で具体的な数が明示的に記載されている場合でも、そのような記載は、少なくとも記載された数を意味するように解釈されるべきであることが、当業者には理解されよう（例えば、他の修飾語のない「２つの記載（two recitations）」のむき出しの記載は、少なくとも２つの記載、または２つ以上の記載を意味する）。
【００５９】
さらに、「Ａ、ＢおよびＣの少なくとも１つ等」に類似の慣例表現が使用されている事例では、一般にそのような構文は、当業者がその慣例表現を理解するであろう意味で意図されている（例えば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に有するシステムを含むが、それに限定されない等）。「Ａ、Ｂ、またはＣの少なくとも１つ等」に類似の慣例表現が使用されている事例では、一般にそのような構文は、当業者がその慣例表現を理解するであろう意味で意図されている（例えば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に有するシステムを含むが、それに限定されない等）。２つ以上の代替用語を提示する事実上いかなる離接する語および／または句も、明細書、特許請求の範囲、または図面のどこにあっても、当該用語の１つ、当該用語のどちらか、または両方の用語を含む可能性を企図すると理解されるべきであることが、当業者にはさらに理解されよう。例えば、句「ＡまたはＢ」は、「Ａ」または「Ｂ」あるいは「ＡおよびＢ」の可能性を含むことが理解されよう。
【００６０】
加えて、本開示の特徴または態様がマーカッシュグループによって記載されている場合、本開示はまたそれによりマーカッシュグループのメンバーのあらゆる個別メンバーまたはサブグループによって記載されていることを当業者は認識するであろう。
【００６１】
当業者に理解されるであろうように、書面による記載を提供するためなど、ありとあらゆる目的のために、本明細書に開示される全ての範囲はありとあらゆる可能な部分範囲およびその部分範囲の組み合わせも網羅する。挙げられた範囲はいずれも、同じ範囲が少なくとも２等分、３等分、４等分、５等分、１０等分等に細分化されることを十分に記載し可能にするものと簡単に認識することができる。非限定的な例として、本明細書に記載される各範囲は、下３分の１、中央３分の１、および上３分の１等に容易に細分化することができる。同様に当業者に理解されるであろうように、「最大（up to）」、「少なくとも（at least）」、「を超える（greater than）」、「未満（less than）」およびそれらに類するものなどの言葉は全て、記載された数を含み、上記のような部分範囲に後で細分化できる範囲を指す。最後に、当業者に理解されるであろうように、範囲は各個別メンバーを含む。従って、例えば、１個〜３個のアイテムを有するグループは１個、２個、または３個のアイテムを有するグループを指す。同様に、１個〜５個のアイテムを有するグループは１個、２個、３個、４個、または５個のアイテムを有するグループを指し、以下同様である。
【００６２】
本明細書に記載された主題は、他の異なる構成要素に包含されるかまたは他の異なる構成要素に接続された異なる構成要素を時に例示している。そのように図示された構造は単に実施形態にすぎず、実際に、同じ機能を実現する多くの他の構造が実践可能であることを理解されたい。概念的な意味で、同じ機能を実現する構成要素のあらゆる構成が、所望の機能が実現されるように効果的に「関連付け」られる。従って、特定の機能を実現するために組み合わされた本明細書中のいかなる２つの構成要素も、構造または中間の構成要素にかかわらず、所望の機能が実現されるように互いに「関連付け」られていると考えることができる。同様に、そのように関連付けられたいかなる２つの構成要素も、所望の機能を実現するために、互いに「動作可能に接続」または「動作可能に結合」されているとみなすこともでき、そのように関連付けることができるいかなる２つの構成要素も、所望の機能を実現するために、互いに「動作可能に結合可能」であると見なすこともできる。動作可能に結合可能な特定の実施形態には、物理的にかみ合わせ可能なおよび／もしくは物理的に相互作用する構成要素、ならびに／またはワイヤレスに相互作用可能なおよび／もしくはワイヤレスに相互作用する構成要素、ならびに／または論理的に相互作用するおよび／もしくは論理的に相互作用可能な構成要素が含まれるが、それらに限定されない。
【００６３】
様々な態様および実施形態を本明細書に開示してきたが、他の態様および実施形態が当業者には理解されるであろう。本明細書に開示した様々な態様および実施形態は例示を目的とし、限定するつもりはなく、真の範囲および趣旨は以下の特許請求の範囲によって示される。
【図１】
2019507835.tif 000003
【図２Ａ】
2019507835.tif 000004
【図２Ｂ】
2019507835.tif 000005
【図３】
2019507835.tif 000006
【図４】
2019507835.tif 000007
【図５】
2019507835.tif 000008
【図６】
2019507835.tif 000009
【図７】
2019507835.tif 000010
【図８】
2019507835.tif 000011
【図９】
2019507835.tif 000012
【国際調査報告】
2019507835.tif 000013
2019507835.tif 000014
2019507835.tif 000015